(57)【要約】  発光パネルの発光領域以外の部分が大きくなることを抑制できる発光装置を提供する。  発光装置は、発光素子１１が形成された素子基板１と封止板２とを有する発光パネルＰと、発光素子１１と電源とを電気的に接続するための補助電極３０と、を備える。発光素子１１は、有機層１３と電極層１２とを有し、有機層１３は、素子基板１と封止板２との間に形成される密閉空間Ｃの中に位置する。電極層１２は、密閉空間Ｃから発光パネルＰの側面Ｓ１に向かって引き出される引出電極部１４ａと電気的に接続される。補助電極３０は、発光パネルＰの側面Ｓ１と対向する対向部３１を有し、対向部３１は、対向部３１と引出電極部１４ａとの間に位置する導電部（突出部３２、導電性接着剤Ｂなど）を介して、引出電極部１４ａと電気的に接続される。
2017145861.tif 000002
【特許請求の範囲】
【請求項１】
発光素子が形成された第１基板と、前記第１基板と対向する第２基板とを有する発光パネルと、
前記発光素子と電源とを電気的に接続するための補助電極と、を備え、
前記発光素子は、発光層を含む有機層と、電極層とを有し、
前記有機層は、前記第１基板と前記第２基板との間に形成される密閉空間の中に位置し、
前記電極層は、前記密閉空間から前記発光パネルの側面に向かって引き出される引出電極部と電気的に接続され、
前記補助電極は、前記発光パネルの前記側面と対向する対向部を有し、
前記対向部は、前記対向部と前記引出電極部との間に位置する導電部を介して、前記引出電極部と電気的に接続される、
ことを特徴とする発光装置。
【請求項２】
前記対向部は、前記発光パネルの前記側面に沿って延びている、
ことを特徴とする請求項１に記載の発光装置。
【請求項３】
前記導電部は、導電性接着剤と、前記対向部から前記引出電極部に向かって突出する突出部との少なくともいずれかを有する、
ことを特徴とする請求項１又は２に記載の発光装置。
【請求項４】
前記導電部は、前記突出部を有し、
前記発光パネルは、前記側面から前記密閉空間に向かって凹む凹部を有し、
前記突出部の先端は、前記凹部内に至っている、
ことを特徴とする請求項３に記載の発光装置。
【請求項５】
前記発光パネルは、長方形の平面形状であり、
前記対向部は、当該長方形の長辺に沿って延びている、
ことを特徴とする請求項１乃至４のいずれか１項に記載の発光装置。
【発明の詳細な説明】
【技術分野】
【０００１】
本発明は、発光装置に関する。
【背景技術】
【０００２】
発光装置として、有機ＥＬ（Electro-Luminescence）パネルを用いたものがある。例えば、有機ＥＬパネル（発光パネル）は、電極層と有機層を含む発光素子が形成された素子基板と、発光素子を封入するための封止板とを備えて構成される。【０００３】
特許文献１及び２には、電極層の一部が、素子基板と封止板との間に形成される密閉空間から引き出される引出電極部として構成され、この引出電極部に補助電極を介して電源を接続する構造の発光装置が開示されている。これらの発光装置では、補助電極が、素子基板と封止板との一方に対して他方が迫り出した領域において形成されている（特許文献１では素子基板に、特許文献２では封止板に補助電極を形成）。
【先行技術文献】
【特許文献】
【０００４】
【特許文献１】特開２０１５−７９７３７号公報
【特許文献２】特開２００６−５９５４４号公報
【発明の概要】
【発明が解決しようとする課題】
【０００５】
特許文献１及び２のように基板に補助電極を形成する構造では、補助電極が形成される領域だけ大きい基板が必要となる。そうすると、発光パネルの発光領域以外の部分が大きくなってしまう。【０００６】
本発明は、上記実情に鑑みてなされたものであり、発光パネルの発光領域以外の部分が大きくなることを抑制できる発光装置を提供することを目的とする。
【課題を解決するための手段】
【０００７】
上記目的を達成するため、本発明に係る発光装置は、
発光素子が形成された第１基板と、前記第１基板と対向する第２基板とを有する発光パネルと、
前記発光素子と電源とを電気的に接続するための補助電極と、を備え、
前記発光素子は、発光層を含む有機層と、電極層とを有し、
前記有機層は、前記第１基板と前記第２基板との間に形成される密閉空間の中に位置し、
前記電極層は、前記密閉空間から前記発光パネルの側面に向かって引き出される引出電極部と電気的に接続され、
前記補助電極は、前記発光パネルの前記側面と対向する対向部を有し、
前記対向部は、前記対向部と前記引出電極部との間に位置する導電部を介して、前記引出電極部と電気的に接続される、
ことを特徴とする。
【発明の効果】
【０００８】
本発明によれば、発光パネルの発光領域以外の部分が大きくなることを抑制できる。
【図面の簡単な説明】
【０００９】
【図１】本発明の第１実施形態に係る発光装置の分解斜視図である。
【図２】（ａ）は図１に示す発光装置のＡ−Ａ線概略断面図であり、（ｂ）は第１実施形態の変形例の説明図である。
【図３】本発明の第２実施形態に係る発光装置の概略断面図である。
【図４】（ａ）は本発明の第３実施形態に係る発光装置の概略断面図であり、（ｂ）は第３実施形態の変形例の説明図である。
【図５】（ａ）、（ｂ）は第３実施形態の変形例の説明図である。
【図６】（ａ）〜（ｃ）は第３実施形態の変形例の説明図である。
【発明を実施するための形態】
【００１０】
本発明の実施形態に係る発光装置を、図面を参照して説明する。
【００１１】
（第１実施形態）
第１実施形態に係る発光装置は、図１、図２（ａ）に示すように、素子基板１及び封止板２を有する発光パネルＰと、補助電極３０と、保持部４０と、筐体５０（図２（ａ）参照）とを備える。なお、図２（ａ）では、見易さを考慮して、断面を示すハッチングを適宜省略した（後述の図２（ｂ）以降も同様）。
【００１２】
発光パネルＰは、いわゆる有機ＥＬ（Electro-Luminescence）パネルであり、長方形の平面形状をなしている。以下では、構成の理解を容易にするため、当該長方形の長辺に沿うＸ軸と、短辺に沿うＹ軸と、Ｘ及びＹ軸と直交するＺ軸とを用いて適宜説明を行う（図１など参照）。また、各軸を示す矢印が向く方向を各軸の＋（プラス）方向、その逆方向を−（マイナス）方向とする。
【００１３】
素子基板１は、透光板１０と、発光素子１１とを有する。透光板１０は、透光性を有し、例えば、ガラス（無アルカリガラス、アルカリガラス）や樹脂により形成されている。なお、この明細書において、ある部材について「透光性を有する」や「透明」という表現は、可視光の波長を有する光が透過可能であることを指し、当該部材の透過率は１００％で無くともよい。
【００１４】
発光素子１１は、図２（ａ）に示すように、透光板１０の主面（＋Ｚ方向に向く面）上に形成されている。発光素子１１は、第１電極１２ａ及び第２電極１２ｂを構成する電極層１２と、有機層１３と、回路素子（図示せず）と、を有する。回路素子は、トランジスタ等から構成され、発光素子１１の発光制御を行う（アクティブ駆動）。透光板１０の主面上には、回路素子、第１電極１２ａ、有機層１３、及び第２電極１２ｂが順に積層形成されている。
【００１５】
第１電極１２ａは、例えば、透明電極であり、正孔を注入する陽極として機能する。第１電極１２ａは、例えば、透光板１０の上にＩＴＯ（Indium Tin Oxide）、ＡＺＯ（Aluminum Zinc Oxide）、ＩＺＯ（Indium Zinc Oxide）等の透明導電材をスパッタリング法によって成膜し（例えば膜厚５０〜５００ｎｍ）、フォトリソグラフィー法によって所望の形状にパターニングすることで形成される。アクティブ駆動の発光パネルＰにおいては、第１電極１２ａは、例えばマトリクス状に形成される。
【００１６】
第２電極１２ｂは、例えば、不透光性の電極であり、電子を注入する陰極として機能する。第２電極１２ｂは、有機層１３上に形成された低抵抗の導電膜である（例えば、Ａｌ、Ａｇ、Ｍｇ、Ｃｏ、Ｌｉ、Ｚｎ等の金属単体あるいは合金から、膜厚５０〜２００ｎｍで形成されている）。第２電極１２ｂは、例えば、真空蒸着法によって蒸着マスクを介して透光板１０に形成される。
【００１７】
なお、図示しないが、第１電極１２ａと第２電極１２ｂとの短絡を防止したり、第１電極１２ａを所定の形状にパターニングしたりするために、透明絶縁膜を設けてもよい。この絶縁膜は、例えば、ポリイミド樹脂、ノボラック樹脂、アクリル樹脂等の透明絶縁材をスピンコート法によって透光板１０上に成膜し、フォトリソグラフィー法で所望の形状にパターニングすることで形成される。
【００１８】
有機層１３は、有機材料からなる発光層を含んで、単層又は多層で構成される。有機層１３は、例えば６０ｎｍ〜１５０ｎｍ程度の膜厚で、第１電極１２ａ上に形成されている。多層構造の一例としては、第１電極１２ａ側から正孔注入輸送層、第１の発光層、第２の発光層、電子輸送層、及び、電子注入層が順次積層されたものである。なお、有機層１３は、単一の発光層を含むものであれば前述の各層の一部を含まなくともよく、他の層を含んでいてもよい。有機層１３は、例えば真空蒸着法によって蒸着マスクを介して透光板１０上に所望の形状で形成される。なお、有機層１３は、スピンコート等の塗布法やインクジェット等の印刷法で形成されてもよい。
【００１９】
第１電極１２ａと第２電極１２ｂの各々は、後述の補助電極３０を介して、外部電源（図示せず）と接続される。発光素子１１は、陽極（第１電極１２ａ）側から注入された正孔と、陰極（第２電極１２ｂ）側から注入された電子とが有機層１３が含む発光層内で再結合することにより、発光する。このようにして発光する領域が、発光パネルＰの発光領域となる。この実施形態の発光パネルＰは、素子基板１を介して外部に向けて光を発するボトムエミッション型のものとして構成されている。
【００２０】
封止板２は、図２（ａ）に示すように、素子基板１に形成された発光素子１１を気密的に収容する。封止板２は、透光板１０と平行配置される平板部２０と、透光板１０と接続される接続部２１とを有する。
【００２１】
平板部２０は、Ｚ方向から見て、その外形が透光板１０の外形と略同一となるように形成されている。具体的には、平板部２０の少なくともＹ方向の幅が、透光板１０のＹ方向の幅と等しくなるように形成されている。これにより、図２（ａ）に示すように、発光パネルＰの側面Ｓ１（＋Ｙ方向に向く側面）と側面Ｓ２（−Ｙ方向に向く側面）とは、互いに平行となる。
【００２２】
接続部２１は、平板部２０から素子基板１に向かって突出すると共に、素子基板１に形成された発光素子１１を四方から囲む形状をなしている。接続部２１の先端は、例えば接着剤によって素子基板１に固定される。これにより、図２（ａ）に示すように、封止板２と素子基板１との間には、発光素子１１を収容する密閉空間Ｃが形成される。なお、密閉空間Ｃは、完全な密閉状態に保たれていなくともよく、略密閉であればよい。
【００２３】
この実施形態では、平板部２０と接続部２１とが一体で封止板２が形成される。封止板２は、例えばガラス材料から、成型、サンドブラスト、切削、エッチング等により形成される。なお、接続部２１は、平板部２０とは別体のスペーサなどであってもよい。
【００２４】
接続部２１のうち、封止板２のＹ方向における両端の各々に位置する部分は、図２（ａ）に示すように、素子基板１に向かって先細りとなるテーパ状に形成されている。このため、発光パネルＰのＹ方向における両端の各々には、側面Ｓ１，Ｓ２から密閉空間Ｃに向かって凹む凹部２２が形成される。
【００２５】
素子基板１に形成された電極層１２の一部は、密閉空間Ｃから発光パネルＰの側面Ｓ１，Ｓ２に向かって引き出される引出電極部１４ａ，１４ｂを構成する。具体的には、第１電極１２ａの一部は、密閉空間Ｃから発光パネルＰの側面Ｓ１に向かって引き出される引出電極部１４ａを構成する。この引出電極部１４ａは、側面Ｓ１側に形成された凹部２２内に位置し、Ｘ方向に延びるように形成されている。なお、図２においては、引出電極部１４ａは第１電極１２ａと一体であるように示されているが、アクティブ駆動の発光パネルＰでは、第１電極１２ａは適宜トランジスタなどの前記回路素子を介して、引出電極部１４ａと電気的に接続される。また、第２電極１２ｂの一部は、密閉空間Ｃから発光パネルＰの側面Ｓ２に向かって引き出される引出電極部１４ｂを構成する。この引出電極部１４ｂは、側面Ｓ２側に形成された凹部２２内に位置し、Ｘ方向に延びるように形成されている。
【００２６】
補助電極３０は、図示しない外部電源からの電力を、発光パネルＰに供給するためのものであり、例えば、銅などの金属から形成されている。補助電極３０は、保持部４０と共に、後述の補助電極ユニットＵを構成する。補助電極ユニットＵは、一対あり、発光パネルＰを挟んで互いに対向するように設けられている。なお、一対の補助電極ユニットＵの各々の形状は同様であるため、各図においては、発光パネルＰの側面Ｓ１側に位置する補助電極ユニットＵ（補助電極３０及び保持部４０）のみを表し、以下では主に当該補助電極ユニットＵについて説明する。
【００２７】
補助電極３０は、対向部３１と、突出部３２とを有する。対向部３１は、図１に示すように、Ｘ方向に延びる板状の部分であり、発光パネルＰの側面Ｓ１と対向する。対向部３１は、図２（ａ）に示すように、＋Ｙ方向から見て、素子基板１の側面（側面Ｓ１の一部を構成する側面）を覆うように設けられる。突出部３２は、対向部３１の＋Ｚ方向側の端部から、引出電極部１４ａに向かって突出する部分である。突出部３２は、図１に示すように、Ｘ方向に間隔を空けて、複数設けられている（図示例では３つ）。この実施形態では、補助電極３０は、対向部３１と突出部３２とから一体に形成されており、図２（ａ）に示すように、断面Ｌ字状をなしている。補助電極３０は、例えば、金属板を曲げ加工することによって形成される。
【００２８】
突出部３２の先端は、図２（ａ）に示すように、発光パネルＰの凹部２２内に至っている。この凹部２２内に充填された導電性接着剤Ｂ（詳しくは後述する）を介して、突出部３２は引出電極部１４ａと電気的に接続される。これにより、補助電極３０と発光パネルＰの第１電極１２ａとが電気的に接続される。なお、突出部３２の先端は、引出電極部１４ａと接触していることが接続信頼性の観点からは好ましいが、導電性接着剤Ｂがあるため、引出電極部１４ａと接触していなくともよい。図示しないが、側面Ｓ２側に設けられる補助電極も、同様にして、発光パネルＰの第２電極１２ｂと電気的に接続される。
【００２９】
保持部４０は、補助電極３０を保持するものであり、例えば、絶縁性を有する樹脂などから形成されている。保持部４０と補助電極３０とは、例えばインサート成形により一体に形成されることでユニット化され、補助電極ユニットＵを構成する。
【００３０】
保持部４０は、図２（ａ）に示すように、断面Ｌ字状をなし、発光パネルＰのＹ方向における端部が載置される載置部４１と、発光パネルＰの側面Ｓ１と対面する対面部４２とを有する。保持部４０は、図１に示すように、補助電極３０の突出部３２（図示例では３つ）の各々に対応して設けられている。保持部４０の対面部４２からは、補助電極３０の突出部３２の先端が露出している。
【００３１】
補助電極ユニットＵ（補助電極３０及び保持部４０）は、導電性接着剤Ｂにより、発光パネルＰと固定される。具体的には、補助電極ユニットＵと発光パネルＰとは、図２（ａ）に示すように、保持部４０の載置部４１に発光パネルＰが載置された状態、且つ、保持部４０の対面部４２が発光パネルＰの側面Ｓ１と対面した状態で、固定される。このような状態においては、保持部４０の対面部４２から露出した補助電極３０の突出部３２が、発光パネルＰの凹部２２内に位置する。凹部２２内には導電性接着剤Ｂが充填されていることから、前記のように補助電極３０と発光パネルＰの第１電極１２ａとが電気的に接続される。導電性接着剤Ｂは、例えば、銀や銅などの導電性粒子を含む異方性導電接着剤などからなる。
【００３２】
なお、第１実施形態では、補助電極３０の対向部３１と、引出電極部１４ａとを電気的に接続する導電部は、突出部３２と導電性接着剤Ｂとから構成される。
【００３３】
保持部４０には、補助電極３０を外部電源（図示せず）と接続するための、図示しないスルーホールが設けられている。このスルーホールは、例えば、補助電極３０の対向部３１と保持部４０の外部とを連通するように、保持部４０の＋Ｙ方向側に設けられる。そして、外部電源からの電力を供給するための配線（図示せず）が、当該スルーホールに挿入され、半田付けなどにより補助電極３０の対向部３１と接続される。スルーホールは、例えば、図１に示すように複数設けられた保持部４０（図示例では３つ）の各々に設けられる。これにより、補助電極３０の発光パネルＰとの接続部分となる突出部３２（図示例では３つ）の各々が、外部電源と接続されることになる。
【００３４】
筐体５０は、例えば樹脂材などから箱状に形成され、上記各部を収容する。筐体５０や前記の保持部４０には、発光パネルＰが素子基板１側から外部に向けて発する光を妨げないように、開口部が設けられる。なお、発光パネルＰが発する光を妨げない構成であればよく、当該開口部に透光部材が設けられていてもよい。
【００３５】
第１実施形態に係る発光装置では、補助電極３０の突出部３２を、発光パネルＰの凹部２２に入れ込むようにして、補助電極ユニットＵと発光パネルＰとを導電性接着剤Ｂで固定すれば、補助電極３０と引出電極部１４ａとが導通接続される。つまり、補助電極３０と発光パネルＰとが導通接続される。前記の通り、外部電源から延びる配線は、保持部４０に設けられたスルーホールを介して補助電極３０と接続されるため、結果的に、外部電源と第１電極１２ａとが導通接続される。なお、前記のように補助電極ユニットは、発光パネルＰの側面Ｓ２側にも設けられている（図示せず）。当該補助電極ユニットも、図示した補助電極ユニットＵと同様な構造で発光パネルＰに固定され、補助電極と第２電極１２ｂとが導通接続される（結果的に、外部電源と第２電極１２ｂとが導通接続される）。
【００３６】
以上に説明した第１実施形態の発光装置によれば、（ｉ）基板（素子基板１、封止板２）に補助電極を設ける必要がないため、発光パネルＰの発光領域以外の部分が大きくなることを抑制できる。（ｉｉ）また、補助電極３０は、引出電極部１４ａとの接続部分となる複数の突出部３２を有している。これらの突出部３２は、Ｘ方向において互いに離間して設けられ、対向部３１を介して、各々が外部電源と接続される。このため、発光パネルＰのＸ方向（つまり、発光パネルＰの長手方向）における一端からのみ給電する構成に比べて、電圧降下を抑制することができ、発光パネルＰの発光の均一性が損なわれることを抑制できる。（ｉｉｉ）また、補助電極３０は、保持部４０と共に補助電極ユニットＵを構成しているため、補助電極３０を発光パネルＰに接続する際の組み付けが容易である。また、補助電極３０は、保持部４０に保持されていることから剛性が保たれるため、接続信頼性も良好となる。
【００３７】
（変形例１）
ここで、図２（ｂ）を参照して、第１実施形態の変形例（変形例１）に係る補助電極ユニットＵ１を説明する。
【００３８】
なお、この変形例１や、後述の第２、第３実施形態及びそれらの変形例（変形例２〜７）においても、発光パネルＰの構成は前記の第１実施形態と同様であるため、説明を省略し、異なる点を中心に述べる。また、第１実施形態と同様の構成については、第１実施形態と同一の符号を用いて説明する。
【００３９】
また、図２（ｂ）以降の図面は、図２（ａ）と同じ方向から見た概略断面図を示す。そのため、以下でもＸ、Ｙ、及びＺ軸（図１、図２（ａ）参照）を用いて、構成を適宜説明する。また、図示しないが、補助電極ユニットが、発光パネルＰの側面Ｓ２側にも設けられている点も同様である。
【００４０】
変形例１に係る補助電極ユニットＵ１では、保持部４０が、補助電極３０の突出部３２の先端の上面を覆う突起部４３を有する。この突起部４３は、保持部４０の対面部４２から、発光パネルＰの凹部２２に向かって突起するように形成されている。なお、突起部４３は突出部３２の下面を覆うように形成されてもよい。
【００４１】
また、この変形例１においては、補助電極３０が、突出部３２と略平行な下板部３３を有する。この下板部３３は、対向部３１の下端部から、素子基板１の下面に沿うようにして突出して形成されている。これにより、変形例１に係る補助電極３０は、断面コの字状をなしている。また、変形例１においては、対向部３１と下板部３３との各々の一面が、保持部４０から露出している。このように露出した対向部３１と下板部３３との少なくともいずれかに、外部電源から延びる配線が接続される。
【００４２】
以上に説明した変形例１によれば、（ｉ）補助電極ユニットＵ１の突出部３２を、発光パネルＰの凹部２２内に嵌め合わせるようにして、補助電極ユニットＵ１と発光パネルＰとを導電性接着剤Ｂにより接着すればよいため、組み付けが容易である。（ｉｉ）また、補助電極３０の突出部３２が、突起部４３によって保護されているため、突出部３２の剛性を保つことができ、接続信頼性も良好となる。（ｉｉｉ）また、対向部３１と下板部３３との各々の一面が、保持部４０から露出しているため、外部電源と補助電極３０との接続が容易であり、且つ、配線レイアウトの自由度が高い。
【００４３】
（第２実施形態）
次に、保持部４０を有さない補助電極ユニットＵ２を備える第２実施形態に係る発光装置について、図３を参照して説明する。第２実施形態に係る補助電極ユニットＵ２は、可撓性を有するシートに各種配線を形成したフレキシブルプリント基板（ＦＰＣ（Flexible Printed Circuit board））から構成される。つまり、補助電極ユニットＵ２は、ＦＰＣを利用した補助電極２３０である。
【００４４】
補助電極２３０は、発光パネルＰの側面Ｓ１と対向する対向部２３１と、対向部２３１の−Ｚ側の端部から−Ｙ方向に向かって延びる下板部２３３と、下板部２３３に設けられた端子Ｔ１と、対向部２３１に設けられた端子Ｔ２と、を備えている。端子Ｔ２は、引出電極部１４ａに向かって突出している。また、端子Ｔ１は、下板部２３３の適宜の位置に設けられ、外部電源から延びる配線と接続される。
【００４５】
なお、第２実施形態では、補助電極２３０の対向部２３１と、引出電極部１４ａとを電気的に接続する導電部は、端子Ｔ２（突出部の一例）と導電性接着剤Ｂとから構成される。
【００４６】
このような構成の第２実施形態に係る発光装置では、補助電極２３０の端子Ｔ２を、発光パネルＰの凹部２２に入れ込むようにして、補助電極ユニットＵ２と発光パネルＰとを導電性接着剤Ｂで固定すれば、外部電源（図示せず）と発光パネルＰとが導通接続される。
【００４７】
以上に説明した第２実施形態に係る発光装置によれば、可撓性を有する補助電極２３０を用いているため、（ｉ）振動下などにおいても接続信頼性を保つことができ、（ｉｉ）また、設計自由度が高い。
【００４８】
（第３実施形態）
次に、保持部４０の代わりに筐体５０を用いた補助電極ユニットＵ３を備える第３実施形態に係る発光装置について、図４（ａ）を参照して説明する。第３実施形態では、筐体５０と補助電極３３０とが、例えばインサート成形により一体に形成されることでユニット化され、補助電極ユニットＵ３を構成する。
【００４９】
筐体５０は、＋Ｚ方向から見て封止板２の少なくとも一部を覆う上壁部５１と、上壁部５１のＹ方向における端部から垂下するように形成された側壁部５２とを有する。側壁部５２は、発光パネルＰの側面Ｓ１と間隔を空けて対向する。側壁部５２の発光パネルＰに向く面には、補助電極３３０の対向部３３１が設けられている。また、上壁部５１の発光パネルＰに向く面には、補助電極３３０の上板部３３３が設けられている。これにより、第３実施形態に係る補助電極３３０は、断面Ｌ字状をなしている。
【００５０】
筐体５０の所定箇所には、補助電極３３０を外部電源と接続するための、図示しないスルーホールが設けられる。そして、外部電源からの電力を供給するための配線が、当該スルーホールに挿入され、半田付けなどにより補助電極３３０と接続される。
【００５１】
第３実施形態に係る発光装置では、補助電極３３０を発光パネルＰの角に合わせるようにして、補助電極ユニットＵ３と発光パネルＰとを導電性接着剤Ｂで固定すれば、補助電極３３０と発光パネルＰとが導通接続されると共に、筐体５０に発光パネルＰが固定される。
【００５２】
以上に説明した第３実施形態に係る発光装置によれば、筐体５０と補助電極３３０とをユニット化したから、（ｉ）組み付けが容易であり、（ｉｉ）部品点数の増大を抑制することができる。
【００５３】
ここからは、図４（ｂ）以降の図面を参照して、第３実施形態の変形例（変形例２〜７）について説明する。
【００５４】
（変形例２）
図４（ｂ）に示す変形例２のように、補助電極ユニットＵ３は、補助電極３３０を構成する対向部３３１と上板部３３３とが分割された構成であってもよい。この構成は、例えば、設計上で補助電極３３０を極力小さくする要請があり、金属の曲げ成形などが困難である場合に有用である。
【００５５】
（変形例３）
図５（ａ）に示す変形例３のように、筐体５０の上壁部５１に孔５１ａを設けてもよい。この場合、補助電極３３０は、孔５１ａの内周を覆うと共に、上壁部５１の上面まで至る覆い部３３４，３３５を有していてもよい。このような構成によれば、例えば、覆い部３３４，３３５や孔５１ａを、外部電源から延びる配線を接続する箇所として利用できるため、設計自由度に優れる。
【００５６】
（変形例４）
図５（ｂ）に示す変形例４のように、筐体５０の上壁部５１が開口して形成されていてもよい。そして、補助電極３３０は、上壁部５１の上面まで至る覆い部３３４を有していてもよい。このような構成によれば、例えば、発光パネルＰの近傍にスペースが確保されるため、外部電極から延びる配線を補助電極３３０に接続する作業が容易となる。
【００５７】
なお、第３実施形態及びその変形例２〜４では、補助電極３３０の対向部３３１と、引出電極部１４ａとを電気的に接続する導電部は、導電性接着剤Ｂから構成される。つまり、補助電極３３０に、発光パネルＰに向かって突出する突出部を設けない構成例である。
【００５８】
上記の第３実施形態及びその変形例２〜４では、補助電極３３０が発光パネルＰに向かって突出する突出部を有さない構成を例示したが、突出部を設けてもよい。以下では、補助電極３３０が突出部を有する変形例５〜７を、図６（ａ）〜（ｃ）を参照して説明する。
【００５９】
（変形例５）
図６（ａ）に示す変形例５のように、補助電極３３０が有する突出部３３２として、ワイヤ（例えば、銅などの金属。導電性があれば金属以外であってもよい）を採用してもよい。同図に示す突出部３３２は、ワイヤの断面を示している。当該ワイヤは、発光パネルＰの長手方向（Ｘ方向）に延びると共に、発光パネルＰの凹部２２に挟み込まれるように配置されている。当該ワイヤは、例えば、導電性接着剤Ｂによる固定前は対向部３３１と別体となっており、導電性接着剤Ｂによる固定後に対向部３３１と共に補助電極３３０を構成する。
【００６０】
（変形例６）
図６（ｂ）に示す変形例６のように、補助電極３３０が有する突出部３３２として、曲げ成形された金属板（例えば、銅など）を採用してもよい。当該曲げ成形された金属板は、例えば、補助電極ユニットＵ３と発光パネルＰとを導電性接着剤Ｂで固定する前に、補助電極３３０の対向部３３１に、予め溶着ないし固着されていればよい。
【００６１】
（変形例７）
図６（ｃ）に示す変形例７のように、補助電極３３０が有する突出部３３２として、対向部３３１と一体のものを採用してもよい。変形例７では、筐体５０の側壁部５２が、発光パネルＰの凹部２２に向かって突起する突起部５３を有している。この突起部５３を覆うようにして、補助電極３３０の突出部３３２が形成されている。このように、突出部３３２を有する補助電極３３０と、突起部５３を有する筐体５０とは、例えば、インサート成形により一体に形成すればよい。
【００６２】
以上に説明した、補助電極３３０が突出部３３２を有する変形例５〜７によれば、補助電極３３０と発光パネルＰとの接続信頼性を確保することができる。なお、変形例５のように突出部３３２がワイヤからなる構成は、例えば、金属の曲げ成形などが困難である場合に有用である。また、変形例７のように、筐体５０が、突出部３３２に対応した突起部５３を有する構成によれば、突出部３２の剛性を保つことができ、接続信頼性も良好となる。
【００６３】
なお、変形例５〜７では、補助電極３３０の対向部３３１と、引出電極部１４ａとを電気的に接続する導電部は、突出部３３２と導電性接着剤Ｂとから構成される。
【００６４】
本発明は以上の実施形態、変形例及び図面によって限定されるものではない。本発明の要旨を変更しない範囲で、適宜、変更（構成要素の削除も含む）を加えることが可能である。以下に変形の一例を示す。
【００６５】
以上では、発光パネルＰがボトムエミッション型の例を示したが、トップエミッション型であってもよい。また、発光パネルＰはパッシブ駆動で動作するものであってもよい。また、発光パネルＰは、単に発光するだけでなく、画素やセグメントを点灯表示可能であってもよい。また、発光パネルＰは平面視で長方形状に限られず、正方形状や、多角形状などであってもよい。発光パネルＰの側面に補助電極を接続可能な構成であれば、発光パネルＰの形状は任意である。
【００６６】
以上では、発光パネルＰの側面Ｓ１側に陽極（第１電極１２ａ）の一部である引出電極部１４ａを設け、側面Ｓ２側に陰極（第２電極１２ｂ）の一部である引出電極部１４ｂを設けた構成例を示したが、これに限られない。側面Ｓ１と側面Ｓ２の少なくとも一方において、陽極及び陰極の各々の引出電極部が混在した構成としてもよい。また、引出電極部１４ａ，１４ｂは、第１電極１２ａ，第２電極１２ｂと電気的に接続されるものであれば、第１電極１２ａ，第２電極１２ｂと異なる材料で別体で形成されてもよい。
【００６７】
以上では、封止板２の接続部２１がテーパ状に形成された例を示したが、発光パネルＰに凹部２２形成されれば、接続部２１の形状は任意である。例えば、接続部２１が橋桁状に形成されていればよく、素子基板１に向かって先細りとなっていなくともよい。また、例えば、封止板２を素子基板１よりも小さく形成することで、発光パネルＰのＹ方向における両端に段差（凹部の他の一例）を設けてもよい。そして、当該段差部分において引出電極部１４ａ，１４ｂを形成してもよい。なお、このように発光パネルＰの両端に段差を形成した場合、補助電極３０，２３０，３３０の対向部３１，２３１，３３１は、素子基板１と封止板２との少なくとも一方の側面（Ｙ方向に向く面）と対向していればよい。つまり、発光パネルＰの側面Ｓ１，Ｓ２は、素子基板１の側面と封止板２の側面とが面一であることにより構成されていなくともよい。
【００６８】
以上では、補助電極３０の突出部３２が、Ｘ方向に間隔を空けて複数設けられた例を示したが、一つであってもよい。また、補助電極３０，２３０，３３０の形状は、少なくとも対向部３１，２３１，３３１を有していれば、任意である。
【００６９】
また、補助電極ユニットＵ，Ｕ１〜Ｕ３と発光パネルＰとの間における導電性接着剤Ｂの充填箇所も設計に応じて任意である。補助電極３０，２３０，３３０における外部電源からの配線の接続箇所や接続信頼性を鑑みて、導電性接着剤Ｂが占める領域は増減可能である。
【００７０】
（１）以上に説明した発光装置は、発光素子１１が形成された素子基板１（第１基板の一例）と、封止板２（第２基板の一例）とを有する発光パネルＰと、発光素子１１と電源とを電気的に接続するための補助電極３０（以下、補助電極２３０，３３０も含む）と、を備える。また、発光素子１１において、有機層１３は素子基板１と封止板２との間に形成される密閉空間Ｃの中に位置し、電極層１２は密閉空間Ｃから発光パネルＰの側面Ｓ１（側面Ｓ２も同様）に向かって引き出される引出電極部１４ａ（引出電極部１４ｂも同様）と電気的に接続される。そして、補助電極３０は、発光パネルＰの側面Ｓ１と対向する対向部３１（以下、対向部２３１，３３１も含む）を有し、対向部３１は、対向部３１と引出電極部１４ａとの間に位置する導電部を介して、引出電極部１４ａと電気的に接続される。
このようにしたから、前記の通り、発光パネルＰの発光領域以外の部分が大きくなることを抑制することができる。なお、発光パネルＰを製造する際は、１つの基板（マザー基板）から複数の発光パネルＰを切り出して得る手法が一般的であるが、このように発光パネルＰの発光領域以外の部分が大きくなることを抑制できれば、マザー基板からの切り出し個数が稼げたり、同じ切り出し個数であってもマザー基板自体を小さくしたりすることができるため、コスト削減にも繋がる。
【００７１】
（２）また、対向部３１は、発光パネルＰの側面Ｓ１に沿って（Ｘ方向に）延びている。このようにしたから、前記の通り、電圧降下を抑制することができ、発光パネルＰの発光の均一性が損なわれることを抑制できる。
【００７２】
（３）また、導電部は、導電性接着剤Ｂと、対向部３１から引出電極部１４ａに向かって突出する突出部３２（以下、端子Ｔ２や突出部３３２も含む）との少なくともいずれかを有する。導電部が導電性接着剤Ｂを有する構成とすれば、前記の通り組付けが容易である。また、導電部が突出部３２を有する構成とすれば、前記の通り接続信頼性を確保することができる。
【００７３】
（４）また、発光パネルＰは、側面Ｓ１から密閉空間Ｃに向かって凹む凹部２２を有し、突出部３２の先端は、凹部２２内に至っている。このようにしたから、補助電極３０と発光パネルＰの接続が強固となり、より接続信頼性を確保することができる。
【００７４】
（５）また、発光パネルＰは、長方形の平面形状であり、対向部３１は、当該長方形の長辺に沿って延びている。例えば、発光装置を細長に構成する要請がある場合（例えば、プリントヘッドに用いられる場合など）、前記した電圧降下が懸案となるが、このように発光パネルＰの長手方向に補助電極３０の対向部３１が延びるように形成すれば、発光パネルＰの発光の均一性が損なわれることを良好に抑制できる。
【００７５】
以上の説明では、本発明の理解を容易にするために、重要でない公知の技術的事項の説明を適宜省略した。
【産業上の利用可能性】
【００７６】
本発明は、有機ＥＬパネル等の発光装置に適用できる。
【符号の説明】
【００７７】
Ｐ…発光パネル
Ｓ１，Ｓ２…側面
１…素子基板
１２…電極層（１２ａ…第１電極、１２ｂ…第２電極）
１３…有機層
２…封止板
２２…凹部
３０，２３０，３３０…補助電極
３１，２３１，３３１…対向部
３２，３３２…突出部
Ｔ２…端子（突出部の他の一例）
４０…保持部
５０…筐体
Ｕ、Ｕ１〜Ｕ３…補助電極ユニット
Ｂ…導電性接着剤
Ｃ…密閉空間
【図１】
2017145861.tif 000003
【図２】
2017145861.tif 000004
【図３】
2017145861.tif 000005
【図４】
2017145861.tif 000006
【図５】
2017145861.tif 000007
【図６】
2017145861.tif 000008
【国際調査報告】
2017145861.tif 000009
2017145861.tif 000010
2017145861.tif 000011